(57)【要約】【課題】本発明は、第１出光面と第２出光面とを有する導光体を備える画像読取装置及び、画像形成装置を提供することを目的とする。【解決手段】カラーコピー機１は、主走査方向Ｙに所定間隔で配置される複数の点状発光部材及び／又は主走査方向Ｙにのびるように形成される細長状発光部材により構成されるＬＥＤ５０１と、ＬＥＤ５０１と原稿Ｇとの間に配置されＬＥＤ５０１側に配置される入光部４００及び原稿Ｇ側に配置される出光部を有する導光体５０５と、を有する照明部３４７ａを備える。そして、出光部は、第１出光面４１０ａと、第１出光面４１０ａを含む平面とは異なる面上に形成される第２出光面４１０ｂと、を有する。【選択図】図３
2010026179.tif 000002
【特許請求の範囲】
【請求項１】
原稿に光を照射する照明手段と、
前記原稿からの光束を反射させて光路を形成するミラーと、
前記ミラーにより反射された光束を結像させる結像レンズと、
前記結像レンズの結像位置に配置され、前記結像レンズによる結像に基づいて前記原稿の画像を読み取る読取手段と、を備え、
前記照明手段は、
主走査方向に所定間隔で配置される複数の点状発光部材及び／又は主走査方向にのびるように形成される細長状発光部材により構成される発光部と、
前記発光部と前記原稿との間に配置され、前記発光部側に配置される入光部及び前記原稿側に配置される出光部を有する導光体と、を有し、
前記出光部は、第１出光面と、前記第１出光面を含む面とは異なる面上に形成される第２出光面と、を有する
画像読取装置。
【請求項２】
前記第２出光面は、前記第１出光面に対して所定の角度をなすように形成される
請求項１に記載の画像読取装置。
【請求項３】
前記第１出光面と前記第２出光面とは、互いに離間して形成される
請求項１又は２に記載の画像読取装置。
【請求項４】
前記導光体は、該導光体の内部に形成され前記入光部からの光を反射させて前記第１出光面から出光させる反射部を有し、
前記反射部は、第１反射面と、前記第１反射面と所定の角度をなすと共に連続して形成される第２反射面と、を有する
請求項１から３のいずれかに記載の画像読取装置。
【請求項５】
前記第２出光面に対向して配置され、前記第２出光面からの光を前記原稿側に反射させる反射部材と、を備える
請求項１から４のいずれかに記載の画像読取装置。
【請求項６】
前記導光体は、
前記第１出光面を含む第１導光体と、
前記第２出光面を含む第２導光体と、を備える
請求項１から５のいずれかに記載の画像読取装置。
【請求項７】
前記第１導光体は、前記発光部に対向して配置される第１入光部を有し、
前記第２導光体は、前記発光部に対抗して配置される第２入光部を有し、
前記第１入光部と前記第２入光部の大きさは、前記第１出光面及び前記第２出光面から出光させる光の光量に応じてそれぞれ設定される
請求項６に記載の画像読取装置。
【請求項８】
前記発光部は、
前記第１入光部に対向して配置され、主走査方向に所定間隔で配置される前記点状発光部材により構成される第１発光部と、
前記第２入光部に対向して配置され、前記第１発光部の副走査方向に並び、主走査方向に所定間隔で配置される前記点状発光部材により構成される第２発光部と、を有する
請求項７に記載の画像読取装置。
【請求項９】
前記第１発光部における発光と、前記第２発光部における発光とを別々に制御する発光制御部と、を備える
請求項８に記載の画像読取装置。
【請求項１０】
請求項１から９のいずれかに記載の画像読取装置と、
前記画像読取装置より読み取られた前記原稿の画像に関する画像情報に基づいて、表面に静電潜像が形成される像担持体と、
前記像担持体に形成された静電潜像にトナー画像を現像する現像器と、
前記像担持体に形成されたトナー画像を直接的又は間接的に所定の用紙に転写する転写部と、
前記転写部により前記所定の用紙に転写されたトナー画像を定着させる定着部と、を備える
画像形成装置。
【発明の詳細な説明】
【技術分野】
【０００１】
本発明は、画像読取装置及び、画像読取装置を備える画像形成装置に関する。
【背景技術】
【０００２】
従来、原稿の画像を読み取る画像読取装置として、原稿に光を照射する照明手段と、原稿からの光を反射させて光路を形成するミラーと、原稿からの光束を結像させる結像レンズと、結像レンズにより結像された原稿の画像を読み取るＣＣＤ（Ｃｈａｒｇｅ―Ｃｏｕｐｌｅｄ  Ｄｅｖｉｃｅ）と、を備える画像読取装置が知られている。
【０００３】
近年、照明手段を構成する発光部として、蛍光灯やキセノン管等の管状の発光部材だけでなく、ＬＥＤ（Ｌｉｇｈｔ―Ｅｍｉｔｔｉｎｇ  Ｄｉｏｄｅ）等の発光素子が用いられている。例えば、複数の発光素子を主走査方向に配列することで照明手段を構成した画像読取装置が提案されている（例えば、特許文献１参照）。
【０００４】
また、発光部からの光を有効に利用するため、発光部からの光を原稿側に導く導光体を有する画像読取装置が提案されている（例えば、特許文献２参照）。
【特許文献１】特開２００２−３１４７６０号公報
【特許文献２】特開２００８−３５０３６号公報
【発明の開示】
【発明が解決しようとする課題】
【０００５】
しかし、特許文献１及び特許文献２の画像読取装置において、導光体の出光面は一つなので、一方向側にしか光を出光させることができなかった。例えば、いわゆるエッジ影の発生を抑制するため導光体からの直接光とは異なる方向から光を照射させるための反射部材側に光を導くためには、導光体とは別個の光屈曲部材等を配置する必要があった。これにより、画像読取装置の小型化が阻害される場合あった。
【０００６】
また、出光面が全体として平面状であるので、有効照射範囲外に照射される光も多かった。つまり、集光性について十分ではない場合があった。
【０００７】
また、出光面から原稿側等に導かれる光の光量を高精度に調整することが困難な場合があった。
【０００８】
本発明は、第１出光面と第２出光面とを有する導光体を備える画像読取装置を提供することを目的とする。
また、本発明は、該画像読取装置を備える画像形成装置を提供することを目的とする。
【課題を解決するための手段】
【０００９】
本発明は、原稿に光を照射する照明手段と、前記原稿からの光束を反射させて光路を形成するミラーと、前記ミラーにより反射された光束を結像させる結像レンズと、前記結像レンズの結像位置に配置され、前記結像レンズによる結像に基づいて前記原稿の画像を読み取る読取手段と、を備え、前記照明手段は、主走査方向に所定間隔で配置される複数の点状発光部材及び／又は主走査方向にのびるように形成される細長状発光部材により構成される発光部と、前記発光部と前記原稿との間に配置され、前記発光部側に配置される入光部及び前記原稿側に配置される出光部を有する導光体と、を有し、前記出光部は、第１出光面と、前記第１出光面を含む面とは異なる面上に形成される第２出光面と、を有する画像読取装置に関する。
【００１０】
また、前記第２出光面は、前記第１出光面に対して所定の角度をなすように形成されることが好ましい。
【００１１】
また、前記第１出光面と前記第２出光面とは、互いに離間して形成されることが好ましい。
【００１２】
また、前記導光体は、該導光体の内部に形成され前記入光部からの光を反射させて前記第１出光面から出光させる反射部を有し、前記反射部は、第１反射面と、前記第１反射面と所定の角度をなすと共に連続して形成される第２反射面と、を有することが好ましい。
【００１３】
また、前記第２出光面に対向して配置され、前記第２出光面からの光を前記原稿側に反射させる反射部材と、を備えることが好ましい。
【００１４】
また、前記導光体は、前記第１出光面を含む第１導光体と、前記第２出光面を含む第２導光体と、を備えることが好ましい。
【００１５】
また、前記第１導光体は、前記発光部に対向して配置される第１入光部を有し、前記第２導光体は、前記発光部に対抗して配置される第２入光部を有し、前記第１入光部と前記第２入光部の大きさは、前記第１出光面及び前記第２出光面から出光させる光の光量に応じてそれぞれ設定されることが好ましい。
【００１６】
また、前記発光部は、前記第１入光部に対向して配置され、主走査方向に所定間隔で配置される前記点状発光部材により構成される第１発光部と、前記第２入光部に対向して配置され、前記第１発光部の副走査方向に並び、主走査方向に所定間隔で配置される前記点状発光部材により構成される第２発光部と、を有することが好ましい。
【００１７】
また、前記第１発光部における発光と、前記第２発光部における発光とを別々に制御する発光制御部と、を備えることが好ましい。
【００１８】
本発明は、前記画像読取装置より読み取られた前記原稿の画像に関する画像情報に基づいて、表面に静電潜像が形成される像担持体と、前記像担持体に形成された静電潜像にトナー画像を現像する現像器と、前記像担持体に形成されたトナー画像を直接的又は間接的に所定の用紙に転写する転写部と、前記転写部により前記所定の用紙に転写されたトナー画像を定着させる定着部と、を備える画像形成装置に関する。
【発明の効果】
【００１９】
本発明によれば、第１出光面と第２出光面とを有する導光体を備える画像読取装置を提供することができる。
また、本発明によれば、該画像読取装置を備える画像形成装置を提供することができる。
【発明を実施するための最良の形態】
【００２０】
以下、図面を参照して本発明を実施するための最良の形態を説明する。
まず、図１から図６により、本発明における第１実施形態について説明する。
図１により、第１実施形態における画像形成装置としてのカラーコピー機１における全体構造を説明する。図１は、カラーコピー機１における各構成要素の配置を説明するための左側面図である。本実施形態において、後述する手差しトレイ６５が配置された側（図１における右側）をカラーコピー機１の前側とする。
【００２１】
画像形成装置としてのカラーコピー機１は、該カラーコピー機１における上方側に配置される画像読取装置３００と、下方側に配置され画像読取装置３００からの画像情報に基づいて用紙Ｔにトナー画像を形成する装置本体Ｍと、を備える。
【００２２】
画像読取装置３００は、所定の原稿Ｇ（図２参照）を送り出す原稿送り部７０と、原稿Ｇの画像を読み込む読取部３０１と、を備える。原稿送り部７０は、読取部３０１に対して不図示の連結部により開閉可能に連結される。原稿送り部７０は、後述する読取面３０２Ａ（図３参照）を保護する機能も有する。
【００２３】
原稿送り部７０が閉状態の場合、原稿Ｇは、原稿送り部７０における上面に形成される原稿載置部７１に載置される。原稿載置部７１に載置された原稿Ｇは、不図示の送りローラにより読取部３０１における読取面３０２Ａを構成する第１読取面３０３Ａ（図３参照）に移動される。この場合、後述する照明ユニット３４７及びミラーユニット３４９（図３参照）は、第１位置３０３（図３参照）に固定される。そして、原稿Ｇが第１読取面３０３Ａをスライドするように移動されることで、読取手段としてのＣＣＤ３５８（図３参照）により、原稿Ｇの表面に形成された画像が読み取られる。
【００２４】
原稿送り部７０が開状態の場合、原稿Ｇは、読取面３０２Ａを構成する第２読取面３０４Ａ（図３参照）に載置される。この場合、照明ユニット３４７及びミラーユニット３４９は、第２位置３０４（図３参照）に配置されると共に、第２位置３０４おいて副走査方向Ｘにそれぞれ移動する。照明ユニット３４７及びミラーユニット３４９は、後述する光路Ｈ（図３参照）の長さ（光路長）を一定に保持しながら移動される。これにより、第２読取面３０４Ａに載置された原稿Ｇの画像が読みとられる。
画像読取装置３００における読取部３０１については、後に詳述する。
【００２５】
装置本体Ｍは、像担持体としての感光体ドラム２ａ、２ｂ、２ｃ、２ｄと、帯電部１０ａ、１０ｂ、１０ｃ、１０ｄと、レーザスキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給装置６ａ、６ｂ、６ｃ、６ｄと、中間転写ベルト７と、１次転写ローラ３７ａ、３７ｂ、３７ｃ、３７ｄと、２次転写ローラ８を含む中間転写ユニット２００と、定着装置９と、を備える。また、装置本体Ｍは、該装置本体Ｍの下方側に引き出し可能に配置され用紙Ｔが積層された状態で収納される給紙カセット５２を備える。また、装置本体Ｍは、給紙カセット５２から送り出された用紙Ｔが搬送される搬送路５４を備える。
【００２６】
感光体ドラム２ａ、２ｂ、２ｃ、２ｄは、円筒形状の部材である。感光体ドラム２ａ、２ｂ、２ｃ、２ｄそれぞれは、図１に対して垂直な回転軸を中心に矢印の方向に回転可能に配置される。感光体ドラム２ａ、２ｂ、２ｃ、２ｄそれぞれにおける表面には、静電潜像が形成される。
【００２７】
帯電部１０ａ、１０ｂ、１０ｃ、１０ｄは、感光体ドラム２ａ、２ｂ、２ｃ、２ｄそれぞれの上方に配置される。帯電部１０ａ、１０ｂ、１０ｃ、１０ｄは、感光体ドラム２ａ、２ｂ、２ｃ、２ｄそれぞれの表面を一様に正（プラス極性）帯電させる。
【００２８】
レーザスキャナユニット４ａ、４ｂ、４ｃ、４ｄは、感光体ドラム２ａ、２ｂ、２ｃ、２ｄそれぞれの上方に感光体ドラム２ａ、２ｂ、２ｃ、２ｄそれぞれから離間して配置される。レーザスキャナユニット４ａ、４ｂ、４ｃ、４ｄそれぞれは、不図示のレーザ光源、ポリゴンミラー、ポリゴンミラー駆動用モータ等を有して構成される。
【００２９】
レーザスキャナユニット４ａ、４ｂ、４ｃ、４ｄそれぞれは、読取部３０１により読み込まれた画像に関する画像情報に基づいて感光体ドラム２ａ、２ｂ、２ｃ、２ｄの表面を走査露光する。レーザスキャナユニット４ａ、４ｂ、４ｃ、４ｄそれぞれにより走査露光されることで、感光体ドラム２ａ、２ｂ、２ｃ、２ｄそれぞれの表面に帯電した電荷が除去される。これにより、感光体ドラム２ａ、２ｂ、２ｃ、２ｄそれぞれの表面に静電潜像が形成される。
【００３０】
現像器１６ａ、１６ｂ、１６ｃ、１６ｄそれぞれは、感光体ドラム２ａ、２ｂ、２ｃ、２ｄの側方（図１において左側）に配置される。現像器１６ａ、１６ｂ、１６ｃ、１６ｄそれぞれは、感光体ドラム２ａ、２ｂ、２ｃ、２ｄに形成された静電潜像に各色のトナー画像を現像する。現像器１６ａ、１６ｂ、１６ｃ、１６ｄそれぞれは、イエロー、シアン、マゼンタ、ブラックの４つのトナー色に対応する。現像器１６ａ、１６ｂ、１６ｃ、１６ｄそれぞれは、感光体ドラム２ａ、２ｂ、２ｃ、２ｄに対向配置可能な現像ローラ１１６ａ、１１６ｂ、１１６ｃ、１１６ｄとトナー攪拌用の攪拌ローラとを有して構成される。
【００３１】
トナーカートリッジ５ａ、５ｂ、５ｃ、５ｄそれぞれは、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００３２】
トナー供給装置６ａ、６ｂ、６ｃ、６ｄそれぞれは、トナーカートリッジ５ａ、５ｂ、５ｃ、５ｄそれぞれに収容された各色のトナーを、現像器１６ａ、１６ｂ、１６ｃ、１６ｄそれぞれに対して供給する。
【００３３】
中間転写ベルト７には、感光体ドラム２ａ、２ｂ、２ｃ、２ｄに現像された各色のトナー画像が順次転写される。中間転写ベルト７は、駆動ローラ３５とテンションローラ３６との間に掛け渡されて配置される。テンションローラ３６がバネ３８によって駆動ローラ３５から離れる側に付勢されているので、中間転写ベルト７には、所定の張力が与えられる。
【００３４】
中間転写ベルト７における感光体ドラム２ａ、２ｂ、２ｃ、２ｄと反対の側には、１次転写ローラ３７ａ、３７ｂ、３７ｃ、３７ｄそれぞれが対向して配置される。
【００３５】
１次転写ローラ３７ａ、３７ｂ、３７ｃ、３７ｄそれぞれと、感光体ドラム２ａ、２ｂ、２ｃ、２ｄそれぞれとにより、中間転写ベルト７における所定部分が挟み込まれる。この挟み込まれた所定部分は、感光体ドラム２ａ、２ｂ、２ｃ、２ｄそれぞれにおける表面に押し当てられる。このようにして１次転写ニップＮ１ａ、Ｎ１ｂ、Ｎ１ｃ、Ｎ１ｄが形成され、感光体ドラム２ａ、２ｂ、２ｃ、２ｄそれぞれに現像された各色トナー画像が中間転写ベルト７に順次転写される。これにより、中間転写ベルト７には、フルカラーのトナー画像が形成される。
【００３６】
１次転写ローラ３７ａ、３７ｂ、３７ｃ、３７ｄそれぞれには、不図示の電圧印加手段により、感光体ドラム２ａ、２ｂ、２ｃ、２ｄそれぞれに現像された各色トナー画像を中間転写ベルト７に転写させるための１次転写バイアスが印加される。
【００３７】
２次転写ローラ８は、中間転写ベルト７に１次転写されたトナー画像を用紙Ｔに２次転写させる。２次転写ローラ８には、不図示の電圧印加手段により、中間転写ベルト７のトナー画像を用紙Ｔに転写させるための２次転写バイアスが印加される。
【００３８】
２次転写ローラ８は、中間転写ベルト７に対して接離される。具体的には、２次転写ローラ８は、中間転写ベルト７に当接される当接位置と中間転写ベルト７から離間する離間位置とに移動可能に構成される。詳細には、２次転写ローラ８は、中間転写ベルト７の表面に１次転写されたトナー画像を用紙Ｔに２次転写させる場合には当接位置に移動され、他の場合には離間位置に移動される。ここで、２次転写ローラ８における接離動作は中間転写ユニット２００全体が回動移動されることによりなされる。
【００３９】
２次転写ローラ８は、中間転写ユニット２００に含まれる。中間転写ユニット２００は、２次転写ローラ８を収容すると共に該２次転写ローラ８を回転可能に軸支するハウジング２０１と、ハウジング２０１の側面に配置される回転駆動ギア２１０と、２次転写ローラ８の回転軸方向であってハウジング２０１の側面に配置されるローラ側ギア２２０と、回転駆動ギア２１０とローラ側ギア２２０とに当接して配置されるアイドルギア２３０とを備える。中間転写ユニット２００は、不図示の接離手段により、不図示の回転軸を中心として２次転写ローラ８が中間転写ベルト７に当接可能な位置と、中間転写ベルト７に当接しない位置とに回動移動される。
【００４０】
中間転写ベルト７における２次転写ローラ８に対向する側には、対抗ローラ１０８が配置される。中間転写ベルト７における所定部分は、２次転写ローラ８と対抗ローラ１０８とによって挟み込まれる。そして、用紙Ｔは中間転写ベルト７の表面（画像が１次転写された側）に押し当てられる。このようにして２次転写ニップＮ２が形成され、中間転写ベルト７に１次転写されたトナー画像が用紙Ｔに２次転写される。
【００４１】
定着装置９は、用紙Ｔに２次転写されたトナー画像を構成する各色トナーを溶融定着させる。定着装置９は、ヒータにより加熱される加熱ローラ９ａと、加熱ローラ９ａに圧接される加圧ローラ９ｂと、を備える。加熱ローラ９ａと加圧ローラ９ｂとは、トナー画像が２次転写された用紙Ｔを挟持するようにして搬送する。加熱ローラ９ａと加圧ローラ９ｂとの間に挟持されるように搬送されることで、用紙Ｔに転写されたトナーは溶融定着される。
【００４２】
２次転写ローラ８とテンションローラ３６との間には、中間転写ベルト７を清掃するためのベルトクリーニング装置４０が配置される。ベルトクリーニング装置４０は、中間転写ベルト７の表面に摺接されるクリーニングブラシ４１と、クリーニングブラシ４１と接触するように配置されたクリーニングローラ４２と、先端がクリーニングローラ４２の表面に接触するように配置されるブレード４３と、ブレード４３の下方に配置された回収スパイラル４４と、を備える。
【００４３】
装置本体Ｍにおける下方側には、用紙Ｔを収容する給紙カセット５２が水平方向に引き出し可能に配置される。給紙カセット５２には、用紙Ｔが積層された状態で収容される。給紙カセット５２には、用紙Ｔが載置される載置板６０が配置される。載置板に載置された用紙Ｔは、給紙カセット５２の用紙送り出し側端部（図１における右側端部）に配置されるカセット給紙部５１により搬送路５４に送り出される。カセット給紙部５１は、載置板６０上の用紙Ｔを取り出すための前送りコロ６１と、用紙Ｔを１枚ずつ搬送路５４に送り出すための給紙ローラ対６３からなる重送防止機構を備える。
【００４４】
カセット給紙部５１と排紙部５０との間には、用紙Ｔを搬送する搬送路５４が形成される。搬送路５４は、カセット給紙部５１から２次転写ローラ８までの第１搬送路５５と、２次転写ローラ８から定着装置９までの第２搬送路５６と、定着装置９から排紙部５０までの第３搬送路５７とを有する。また、定着装置９の出口には、分岐爪５８が設けられており、この分岐爪５８と第１搬送路５５における後述する湾曲路５５ａとの間には、用紙Ｔを第１搬送路５５に戻すための戻し搬送路５９が形成される。
【００４５】
第１搬送路５５は、給紙カセット５２から送り出された用紙Ｔを上方に搬送しつつ搬送方向を図１における左方向にするための湾曲路５５ａと、湾曲路５５ａから２次転写ローラ８までの直線路５５ｂとを有する。第１搬送路５５には、用紙Ｔを案内しながら搬送するガイド板及びローラ対が配置される。また、第１搬送路５５には、用紙Ｔを検出するためのセンサと、用紙Ｔのスキュー（斜め給紙）補正やトナー画像とのタイミングを合わせるためのレジストローラ対８０が配置される。センサは、用紙Ｔの搬送方向におけるレジストローラ対８０の直前（上流側）に配置される。レジストローラ対８０は、センサからの検出信情報に基づいて上述の補正やタイミング調整をして用紙Ｔを搬送する。
【００４６】
第２搬送路５６は、定着装置９側に向かって下方側に傾いた直線状の搬送路である。第２搬送路５６には、用紙Ｔを載置した状態で搬送する搬送ベルト１５６が配置される。また、第２搬送路５６における所定位置には、用紙Ｔを検出するためのセンサが配置される。
【００４７】
第３搬送路５７は、定着装置９の出口から図１における左斜め上方に向かうよう形成される。第３搬送路５７は、分岐爪５８の搬送方向下流側に位置し上方へ向かって形成される縦搬送路５７ａを有して構成される。第３搬送路５７により搬送される用紙Ｔは、分岐爪５８の上面側を通過した後、ほぼ垂直上方に向かって搬送されて排紙部５０から装置本体Ｍの外部に排出される。第３搬送路５７は、他の搬送路と同様に、用紙Ｔを案内しながら搬送するガイド板及びローラ対を有して構成される。
【００４８】
戻し搬送路５９は、分岐爪５８から第３搬送路５７とは反対側の下方に分岐し、定着装置９、第２搬送路５６、２次転写ローラ８及びレジストローラ対８０の下方を通り、更に上方に向かうよう形成される。戻し搬送路５９は、第１搬送路５５における湾曲路５５ａに合流するように形成される。戻し搬送路５９は、定着装置９を通過した用紙Ｔを、２次転写ローラ８の上流側に配置されたレジストローラ対８０の上流側に戻すための搬送路である。戻し搬送路５９は、用紙Ｔの両面にトナー画像（文字等を含む）を印刷（印字）する、いわゆる両面印刷（印字）をする場合に用いられる搬送路である。用紙Ｔは、例えば、反転ローラ６００により表裏が反転された状態で戻し搬送路５９を介して第１搬送路５５に戻される。戻し搬送路５９は、他の搬送路と同様に、用紙Ｔを案内しながら搬送するガイド板及びローラ対を有して構成されると共に、所定位置には用紙検出用のセンサが配置される。
【００４９】
装置本体Ｍの図１における右側面であって給紙カセット５２の上方には、手差し給紙部６４が設けられる。手差し給紙部６４は、閉状態において側壁を構成する手差しトレイ６５と、給紙コロ６６とを備える。手差しトレイ６５は、下端が第１搬送路５５の湾曲路５５ａの近傍に回動自在（開閉自在）に取り付けられる。手差し給紙部６４は、開状態の手差しトレイ６５に載置された用紙Ｔを第１搬送路５５の湾曲路５５ａに給紙する。
【００５０】
次いで、図２から図６により、画像読取装置３００を構成する読取部３０１について説明する。
図２は、読取部３０１の内部構造を示す概略平面図である。図３は、図２を矢印Ｓ方向から見た図である。なお、図３は、図２において示される部材を説明のために適宜省いた模式的な図である。図４は、照明部３４７ａの構成を説明する断面図である。図５は、図４における導光体５０５を説明する部分拡大図である。図６は、ＬＥＤユニット５０３を説明する斜視図である。
【００５１】
図２及び図３に示すように、読取部３０１は、原稿Ｇが載置されるコンタクトガラス３３５と、一対の案内レール３４５と、駆動プーリ３５１が取り付けられた駆動軸３５０と、従動プーリ３５２が取り付けられた支軸３５３と、照明手段としての照明ユニット３４７と、ミラーユニット３４９と、結像レンズ３５７と、読取手段としてのＣＣＤ３５８と、光学センサ３６２と、を備える。
【００５２】
図２に示すように、読取部３０１は、上面（図２における手前側）に配置され原稿Ｇが載置されるコンタクトガラス３３５を有する。コンタクトガラス３３５は、カラーコピー機１が通常の状態で配置された場合、水平面と略平行に配置される。
【００５３】
図２に示すように、一対の案内レール３４５は、読取部３０１における側面３０６ａ、３０６ｂ（図２における左右）同士の間に配置される。一対の案内レール３４５は、上述のコンタクトガラス３３５（図３参照）と平行に設置される。一対の案内レール３４５上には、照明ユニット３４７及びミラーユニット３４９が移動可能に載置される。
【００５４】
図２に示すように、駆動軸３５０は、側面３０６ａ側に案内レール３４５と直交するように配置される。駆動軸３５０は、不図示の駆動モータにより正転、逆転駆動される。駆動軸３５０の両端であって案内レール３４５よりも主走査方向Ｙ外側には、大径部及び小径部を有する駆動プーリ３５１が取り付けられる。
【００５５】
図２に示すように、支軸３５３は、側面３０６ｂ側に案内レール３４５と直交するように配置される。支軸３５３の両端であって案内レール３４５よりも主走査方向Ｙ外側には、駆動プーリ３５１と同一径の従動プーリ３５２が取り付けられる。
【００５６】
駆動プーリ３５１及び従動プーリ３５２の大径部には、駆動用ワイヤー３５４ａが掛け渡される。そして、駆動用ワイヤー３５４ａには、照明ユニット３４７が固定される。
また、駆動プーリ３５１及び従動プーリ３５２の小径部には、駆動用ワイヤー３５４ｂが掛け渡される。そして、駆動用ワイヤー３５４ｂにはミラーユニット３４９が固定される。
【００５７】
駆動軸３５０が駆動モータによって回転されることで、駆動用ワイヤー３５４ａ、３５４ｂは回動される。駆動用ワイヤー３５４ａ、３５４ｂが回動されることで、照明ユニット３４７及びミラーユニット３４９は、案内レール３４５に沿って副走査方向Ｘ（図の左右方向）に移動される。駆動プーリ３５１及び従動プーリ３５２の大径部と小径部の径比が２：１であるため、照明ユニット３４７とミラーユニット３４９の移動距離の比は２：１となる。
【００５８】
ここで、照明ユニット３４７及びミラーユニット３４９における案内レール３４５の上面と接する部分には、接触子３５５がそれぞれ２個ずつ設けられる。各接触子３５５の案内レール３４５との接触面は球面状となっている。これにより、照明ユニット３４７及びミラーユニット３４９は、副走査方向Ｘへスムースに移動される。
【００５９】
図２に示すように、読取部３０１の底面における側面３０６ａ側には、支持部材であるＩＳＵベース３５６が取り付けられる。ＩＳＵベース３５６の上面には、結像レンズ３５７と、読取手段としてのＣＣＤ３５８が所定の位置関係で取り付けられる。
【００６０】
図２に示すように、結像レンズ３５７は、ＩＳＵベース３５６に固定されるレンズ支持台３５９上に設置される。レンズ支持台３５９は、ＣＣＤ３５８側に配置されるガイド部材３６０により位置が調整可能に配置される。結像レンズ３５７は、読取部３０１の副走査方向Ｘにおける略中央に配置される。結像レンズ３５７は、光路Ｈ（図３参照）における原稿Ｇ側と反対の端部側に配置される。結像レンズ３５７は、入射された光束Ｈ４（図３参照）を所定位置において結像させる。つまり、結像レンズ３５７は、原稿Ｇの画像を所定位置において結像させる。
【００６１】
図２に示すように、ＣＣＤ３５８は、ガイド部材３６０の背面に配置されるＣＣＤ基板３６１に実装される。ＣＣＤ３５８は、結像レンズ３５７における結像位置に配置される。結像レンズ３５７からの光束は、ガイド部材３６０の中央付近に形成される開口窓３６０ａを通ってＣＣＤ３５８に入射される。ＣＣＤ３５８に入射される光束における光軸は、ガイド部材３６０の位置を微調整することにより補正される。
【００６２】
光学センサ３６２は、ＩＳＵベース３５６上に配置される。光学センサ３６２は、コンタクトガラス３３５上に載置された原稿Ｇからの反射光を受光するか否かによって原稿のサイズ（図２の左右方向）を検知する。
【００６３】
図３に示すように、照明ユニット３４７は、照明手段としての照明部３４７ａと、第１ミラー３４７ｂと、照明部３４７ａ及び第１ミラー３４７ｂを収容する第１枠体３４７ｃと、を備える。
【００６４】
照明部３４７ａは、複数の点状発光部としての複数のＬＥＤ５０１と、複数のＬＥＤ５０１に近接又は当接して配置され第１出光面４１０ａ及び第２出光面４１０ｂ（図４及び図５参照）を有する導光体５０５と、第２出光面４１０ｂからの光を原稿に照射させる反射ミラー５４１と、を備える。照明部３４７ａについては、後に詳述する。
【００６５】
第１ミラー３４７ｂは、照明ユニット３４７における厚さ方向Ｚにおける下方側に配置される。第１ミラー３４７ｂは、反射面が原稿Ｇ及び第２ミラー３４９ａ側に向くように配置される。第１ミラー３４７ｂは、原稿からの光束Ｈ１を第２ミラー３４９ａに反射させる。
【００６６】
第１枠体３４７ｃは、照明部３４７ａと第１ミラー３４７ｂとを収容する。第１枠体３４７ｃは、駆動プーリ３５１及び従動プーリ３５２（図２参照）の大径部に掛け渡される駆動用ワイヤー３５４ａ（図２参照）に固定される。駆動用ワイヤー３５４ａ、３５４ｂが回動されることで、第１枠体３４７ｃは、案内レール３４５に沿って副走査方向Ｘに移動される。
【００６７】
図３に示すように、ミラーユニット３４９は、第２ミラー３４９ａと、第３ミラー３４９ｂと、第２ミラー３４９ａと第３ミラー３４９ｂとを収容する第２枠体３４９ｃと、を備える。
【００６８】
第２ミラー３４９ａは、第２枠体３４９ｃの厚さ方向Ｚにおける上方側に配置される。第２ミラー３４９ａは、反射面が第１ミラー３４７ｂ及び第３ミラー３４９ｂ側を向くように配置される。第２ミラー３４９ａは、第１ミラー３４７ｂからの光束Ｈ２を第３ミラー３４９ｂ側に反射させる。
【００６９】
第３ミラー３４９ｂは、第２枠体３４９ｃの厚さ方向Ｚにおける下方側に配置される。第３ミラー３４９ｂは、反射面が第２ミラー３４９ａ及び結像レンズ３５７側を向くように配置される。第３ミラー３４９ｂは、第２ミラー３４９ａからの光束Ｈ３を結像レンズ３５７側に反射させる。
【００７０】
第１ミラー３４７ｂと、第２ミラー３４９ａと、第３ミラー３４９ｂとは、原稿Ｇからの光を結像レンズ３５７に入光させるための光路Ｈを形成する。上述の通り、照明ユニット３４７が副走査方向Ｘに速度Ａで移動すると共に、ミラーユニット３４９が副走査方向Ｘに速度Ａ／２で移動するので、画像読み取り動作時においても光路Ｈの長さは一定に保持される。
【００７１】
ここで、図４から図６により、照明部３４７ａについて詳述する。
図４に示すように、照明部３４７ａは、複数のＬＥＤ５０１が取り付けられたＬＥＤユニット５０３と、第１出光面４１０ａ及び第２出光面４１０ｂを有する導光体５０５と、第２出光面４１０ｂからの光を原稿に照射させる反射ミラー５４１と、上記ＬＥＤユニット５０３、導光体５０５、及び反射ミラー５４１が取り付けられる取り付け部材５１０と、を備える。
【００７２】
図６に示すように、複数のＬＥＤ５０１それぞれは、互いに離間して板状部材５０２（図４参照）に取り付けられる。複数のＬＥＤ５０１それぞれは、主走査方向Ｙに一定間隔ごとに並んで配置される。複数のＬＥＤ５０１それぞれは、板状部材５０２を介して金属製で高剛性の取り付け部材５１０（図４参照）に取り付けられる。複数のＬＥＤ５０１それぞれは、原稿Ｇに照射される光を発光する。
【００７３】
図４及び図５に示すように、導光体５０５は、一端５０５ａが複数のＬＥＤ５０１が配置されたＬＥＤユニット５０３側を向き、他端５０５ｂがコンタクトガラス３３５側に向くように配置される。導光体５０５は、一端５０５ａ側に形成される入光部４００と、他端５０５ｂ側に形成される出光部を構成する第１出光面４１０ａ及び第２出光面４１０ｂとを有する。また、導光体５０５は、該導光体５０５の内部に形成され入光部４００に入光された光を反射して第１出光面４１０ａから出光させるための第１反射面４２０ａ及び第２反射面４２０ｂを有する。
【００７４】
入光部４００は、複数のＬＥＤ５０１に対向して配置される。本実施形態においては、入光部４００は、複数のＬＥＤ５０１に被嵌して配置される。入光部４００には、複数のＬＥＤ５０１からの光が該導光体５０５の内部に向けて入光される。
【００７５】
第１出光面４１０ａは、原稿Ｇに対向して配置される。第１出光面４１０ａは、入光部４００に入光された光を原稿側に向けて出光させる。具体的には、第１出光面４１０ａは、入光部４００に入光された光であって第１反射面４２０ａ又は第２反射面４２０ｂに反射された光が出光される。
【００７６】
第１反射面４２０ａと第２反射面４２０ｂとは、互いに所定角度をなすように形成されると共に、互いに連続して形成される。第１反射面４２０ａ及び第２反射面４２０ｂは、複数のＬＥＤ５０１に対向する側における第２出光面４１０ｂが形成されていない部分に形成される。ここで、入光部４００に入光部された光のうち第１出光面４１０ａ側に向かう光は、第１反射面４２０ａ又は第２反射面４２０ｂにより原稿Ｇ側に反射される。つまり、第１出光面４１０ａから出光する光Ｈ０１ａ、Ｈ０１ｂは、第１反射面４２０ａと第２反射面４２０ｂにより集光されて原稿Ｇ側に出光される。
【００７７】
第２出光面４１０ｂは、反射部材としての反射ミラー５４１に対向して配置される。第２出光面４１０ｂは、入光部４００に入光された光を反射ミラー５４１側に向けて出光させる。第２出光面４１０ｂから出光された光は、反射ミラー５４１により原稿Ｇ側に向かうよう反射される。反射ミラー５４１により反射された光Ｈ０２は、第１出光面４１０ａから出光された光Ｈ０１ａ、Ｈ０１ｂとは異なる側から原稿Ｇに照射される。
【００７８】
導光体５０５は、２つの出光面（第１出光面４１０ａ、第２出光面４１０ｂ）を有する。第１出光面４１０ａと第２出光面４１０ｂとは、所定の角度をなすように形成される。第１出光面４１０ａと第２出光面４１０ｂとは、同一平面になく、かつ、互いに平行な関係とならない位置関係で形成される。また、第１出光面４１０ａと第２出光面４１０ｂとは、互いに離間して形成される。これにより、導光体５０５は、一の発光源からの光を全く異なる方向に出光させることができる。
【００７９】
導光体５０５は、不要な拡散を抑制しながら入光部４００に入光された光を原稿Ｇ側と反射ミラー５４１側に導く。
【００８０】
図４に示すように、反射部材としての反射ミラー５４１は、取り付け部材５１０におけるミラー保持部５１１に取り付けられる。反射ミラー５４１は、反射面を第２出光面４１０ｂ及び原稿Ｇ側に向くように配置される。反射ミラー５４１は、副走査方向Ｘにおいて光束Ｈ１を中心として導光体５０５と反対側に配置される。反射ミラー５４１は、第２出光面４１０ｂから出光した光を原稿Ｇ側に向かうように反射する。つまり、反射ミラー５４１は、入光部４００に入光された光の一部であって第１出光面４１０ａから出光されない光を反射させて原稿Ｇに照射させる。
【００８１】
上述より、第１出光面４１０ａから出光した光Ｈ０１ａ、Ｈ０１ｂは、副走査方向Ｘにおける一方側から原稿Ｇに照射される。また、第２出光面４１０ｂから出光した光は、反射ミラー５４１に反射されて副走査方向Ｘにおける他方側から原稿Ｇに照射される。原稿Ｇには、副走査方向Ｘにおける一方側及び他方側から光Ｈ０１ａ、Ｈ０１ｂ及び光Ｈ０２がそれぞれ照射される。
【００８２】
図４に示すように、取り付け部材５１０は、第１枠体３４７ｃにおける上方（図４において上方）に配置される。取り付け部材５１０には、ＬＥＤユニット５０３と、導光体５０５と、反射ミラー５４１とが取り付けられる。複数のＬＥＤ５０１は、ＬＥＤユニット５０３を介して取り付け部材５１０に取り付けられる。
【００８３】
続けて、本実施形態の画像読取装置３００における作用について説明する。
まず、原稿送り部７０（図１参照）を開状態にすると共に、読取面３０２Ａ（図２参照）を構成する第２読取面３０４Ａ（図３参照）に原稿Ｇを載置する。光学センサ３６２（図３参照）により第２読取面３０４Ａに原稿が載置されたことが検知されることで、照明ユニット３４７及びミラーユニット３４９（図３参照）は、第２位置３０４（図３参照）に配置される。
【００８４】
次いで、原稿送り部７０を閉状態にする。そして、不図示のスタートスイッチを押すことで、カラーコピー機１に対して、原稿Ｇの画像を複製することを指示する。スタートスイッチが押されることで、画像読取装置３００による原稿Ｇの画像を読み取り動作が開始される。
【００８５】
具体的には、まず、複数のＬＥＤ５０１（図３及び図４参照）が点灯される。点灯された複数のＬＥＤ５０１からの光は、入光部４００から導光体５０５の内部に入光される。入光部４００から入光された光の一部は、第１反射面４２０ａ又は第２反射面４２０ｂに反射され集光されながら第１出光面４１０ａから出光される。第１出光面４１０ａから出光された光Ｈ０１ａ、Ｈ０１ｂは、原稿Ｇ側に向かい、原稿Ｇに直接照射される。
【００８６】
また、入光部４００から入光部された光の一部は、第２出光面４１０ｂから出光される。第２出光面４１０ｂから出光された光は、反射ミラー５４１に反射され原稿Ｇ側に向かい、原稿Ｇに間接的に照射される。
【００８７】
導光体５０５は、一の入光部４００から光を入光させることで、全く異なる２つの方向（対象）に光を出光させることができる。原稿Ｇは、垂直方向下側であって副走査方向Ｘにおける一方側から第１出光面４１０ａから出光した光Ｈ０１ａ、Ｈ０１ｂが照射されると共に、垂直方向下側であって副走査方向Ｘにおける他方側から第２出光面４１０ｂから出光した光Ｈ０２が照射される。原稿Ｇには、主走査方向Ｙに延びるような態様のライン状の光が照射される。
【００８８】
原稿Ｇへの光の照射がされた状態で、照明ユニット３４７及びミラーユニット３４９それぞれは、副走査方向Ｘに移動される。照明ユニット３４７及びミラーユニット３４９それぞれは、光路Ｈにおける光路長を一定に保持しながら移動する。
【００８９】
原稿Ｇからの光束は、第１ミラー３４７ｂ、第２ミラー３４９ａ及び第３ミラー３４９ｂに反射された後、結像レンズ３５７に入射される（図３参照）。
【００９０】
結像レンズ３５７は、原稿Ｇの画像を結像させる。結像位置に配置されたＣＣＤ３５８は、ガイド部材３６０の開口窓３６０ａを通過して該ＣＣＤ３５８上に結像された画像に基づいて、原稿Ｇの画像を画像情報として読み込む（図３参照）。
【００９１】
ここで、導光体５０５から出光された光が原稿Ｇに対して副走査方向Ｘにおける一方側と他方側との双方から光が照射されるので、読み取られた画像にエッジ影が発生することを抑制できる（図３及び図４参照）。
【００９２】
ＣＣＤ３５８により読み込まれた画像情報は、ＣＣＤ基板３６１に出力される。そして、ＣＣＤ基板３６１に出力された画像情報は、所定の回路基板を介して装置本体Ｍに出力される（図３参照）。
【００９３】
装置本体Ｍにおいて、入力された画像情報は、不図示の画像形成制御部に入力される。画像形成制御部は、画像情報に基づいて、画像形成部を構成する像担持体としての感光体ドラム２、帯電部１０、レーザスキャナユニット４や現像器１６等を制御する。感光体ドラム２には、画像情報に基づいて、所定のトナー画像が形成される（図１参照）。
【００９４】
搬送路Ｌを介して感光体ドラム２により形成される転写ニップＮに搬送された用紙Ｔには、画像情報に基づいて原稿Ｇの画像と同じ画像が転写される。画像が形成された用紙Ｔは、排紙部５０から装置本体Ｍの外部に排紙される（図１参照）。
【００９５】
本実施形態によれば、導光体５０５が第１出光面４１０ａと、第１出光面４１０ａを含む平面とは異なる平面上に形成される第２出光面４１０ｂとを有するので、一の光源からの光を異なる対象に対して出光することができる。また、第１出光面４１０ａと、第２出光面４１０ｂとは、互いに所定の角度をなすように形成されるので、一の光源からの光を異なる角度に出光させることができる。また、第１出光面４１０ａと第２出光面４１０ｂとが互いに離間しているの、一の光源からの光を互いに離間した対象に対して出光することができる。
【００９６】
また、本実施形態によれば、導光体５０５が入光部４００からの光を反射させて第１出光面４１０ａから出光させる第１反射面４２０ａ及び第１反射面４２０ａと所定角度をなすと共に連続して形成される第２反射面４２０ｂを有するので、原稿Ｇに対して集光させた光を照射させることができる。
【００９７】
また、本実施形態によれば、第２出光面４１０ｂに対向して配置され第２出光面４１０ｂからの光を原稿Ｇ側に反射させる反射ミラー５４１を備えるので、読み取られた画像にエッジ影が発生することを抑制できる。
【００９８】
また、本実施形態によれば、使用する部品を低減させることができると共に、画像読取装置を小型化することができる。
【００９９】
また、本実施形態によれば、上述の効果を有する画像読取装置を備えるカラーコピー機１を提供することができる。カラーコピー機１においても、上述した画像読取装置３００における効果を得ることができる。
【０１００】
続けて、図７から図９により、第２実施形態におけるカラーコピー機について説明する。図７は、導光体５０５Ａを説明する図である。図８は、ＬＥＤユニット５０３Ａを説明する斜視図である。図９は、ＬＥＤユニット５０３Ａの発光を制御する発光制御部４５０を含むブロック図である。ここで、第２実施形態におけるカラーコピー機は、導光体５０５Ａを除いて第１実施形態におけるカラーコピー機１と同様の構成を有する。以下、第１実施形態におけるカラーコピー機１と異なる導光体５０５Ａのみについて説明し、他の構成要素の説明は省略する。
【０１０１】
図７に示すように、導光体５０５Ａは、一端５０５ａが複数のＬＥＤ５０１ａ、５０１ｂが配置されたＬＥＤユニット５０３Ａ側を向き、他端５０５ｂがコンタクトガラス３３５（図３参照）側に向くように配置される。
【０１０２】
ここで、図８に示すように、本実施形態におけるＬＥＤユニット５０３Ａは、主走査方向Ｙに所定間隔で直線状に配置される複数の第１ＬＥＤ５０１ａと、複数の第１ＬＥＤ５０１ａにおける副走査方向Ｘに並んで配置され主走査方向Ｙに所定間隔で直線状に配置される複数の第２ＬＥＤ５０１ｂとを有する。
【０１０３】
導光体５０５Ａは、第１導光体５０５Ａ１と、第２導光体５０５Ａ２とを有する。導光体５０５Ａは、第１導光体５０５Ａ１と第２導光体５０５Ａ２とを貼り合わせて形成される。第１導光体５０５Ａ１と第２導光体５０５Ａ２とを貼り合わせて形成された導光体５０５Ａは、外形上からは第１実施形態の導光体５０５と略同一である。
【０１０４】
第１導光体５０５Ａ１は、第１入光部４００ａと、第１出光面４１０ａとを有する。また、第１導光体５０５Ａ１は、該第１導光体５０５Ａ１の内部に形成され第１入光部４００ａに入光された光を反射して第１出光面４１０ａから出光させるための第１反射面４２０ａ及び第２反射面４２０ｂを有する。
【０１０５】
第１入光部４００ａは、複数の第１ＬＥＤ５０１ａに対向して配置される。本実施形態においては、第１入光部４００ａは、複数の第１ＬＥＤ５０１ａに被嵌して配置される。第１入光部４００ａには、複数の第１ＬＥＤ５０１ａからの光が該第１導光体５０５Ａ１の内部に入光される。
【０１０６】
第１出光面４１０ａは、原稿Ｇに対向して配置される。第１出光面４１０ａは、第１入光部４００ａに入光された光を原稿Ｇ側に向けて出光させる。具体的には、第１出光面４１０ａは、第１入光部４００ａに入光された光であって第１反射面４２０ａ又は第２反射面４２０ｂに反射された光が出光される。
【０１０７】
第１反射面４２０ａと第２反射面４２０ｂとは、互いに所定角度をなすように形成されると共に、連続して形成される。第１反射面４２０ａ及び第２反射面４２０ｂは、第１ＬＥＤ５０１ａに対向して配置される。第１入光部４００ａに入光部された光は、第１反射面４２０ａ又は第２反射面４２０ｂにより原稿Ｇ側に反射される。つまり、第１出光面４１０ａから出光する光Ｈ０１ａ、Ｈ０１ｂは、第１反射面４２０ａと第２反射面４２０ｂにより集光されて原稿Ｇ側に出光される。
【０１０８】
第２導光体５０５Ａ２は、第２入光部４００ｂと、第２出光面４１０ｂとを有する。
第２入光部４００ｂは、複数の第２ＬＥＤ５０１ｂに対向して配置される。本実施形態においては、第２入光部４００ｂは、複数の第２ＬＥＤ５０１ｂに被嵌して配置される。第２入光部４００ｂには、複数の第２ＬＥＤ５０１ｂからの光が該第２導光体５０５Ａ２の内部に入光される。
【０１０９】
第２出光面４１０ｂは、反射面材としての反射ミラー５４１に対向して配置される。第２出光面４１０ｂは、第２入光部４００ｂに入光された光を反射ミラー５４１側に向けて出光させる。第２出光面４１０ｂから出光された光は、反射ミラー５４１により原稿Ｇ側に向かうよう反射される。反射ミラー５４１により反射された光Ｈ０２は、第１出光面４１０ａから出光された光Ｈ０１ａ、Ｈ０１ｂとは異なる側から原稿Ｇに照射される。
【０１１０】
導光体５０５Ａは、２つの出光面（第１出光面４１０ａ、第２出光面４１０ｂ）を有する。第１出光面４１０ａと第２出光面４１０ｂとは、所定の角度をなすように形成される。第１出光面４１０ａと第２出光面４１０ｂとは、同一平面になく、かつ、互いに平行な関係とならない位置関係で形成される。また、第１出光面４１０ａと第２出光面４１０ｂとは、互いに離間して形成される。これにより、導光体５０５は、一の発光源からの光を全く異なる方向に出光させることができる。
【０１１１】
ここで、各入光部４００ａ、４００ｂに入光される光の光量は、後述する調整のほか、入光部４００ａ、４００ｂの大きさ（例えば、開口面積）で調整することもできる。
【０１１２】
図９に示すように、本実施形態における画像読取装置は、主走査方向Ｙに直線状に配置される複数の第１ＬＥＤ５０１ａ、及び主走査方向Ｙに直線状に配置される複数の第２ＬＥＤ５０１ｂそれぞれにおける発光を別々に制御する発光制御部４５０を備える。
【０１１３】
発光制御部４５０は、主走査方向Ｙに直線状に配置される複数の第１ＬＥＤ５０１ａ、及び主走査方向Ｙに直線状に配置される複数の第２ＬＥＤ５０１ｂのうち一方を発光しないように制御することができる。
【０１１４】
また、主走査方向Ｙに直線状に配置される複数の第１ＬＥＤ５０１ａ、及び主走査方向Ｙに直線状に配置される複数の第２ＬＥＤ５０１ｂそれぞれにおける発光量を制御することができる。例えば、画像読取装置における読み込みの速度や、原稿Ｇの厚さ等に応じてそれぞれにおける発光量を調整することができる。ここで、光量調整は、第１ＬＥＤ５０１ａ及び第２ＬＥＤ５０１ｂへの供給電圧等を調整することで行うことができる。
【０１１５】
本実施形態によれば、第１実施形態における効果の得ることができると共に、以下に示す効果を得ることができる。
本実施形態によれば、導光体５０５Ａが第１導光体５０５Ａ１及び第２導光体５０５Ａ２により構成されるので、導光体５０５Ａにおける入光部や出光量を調整できる。また、不要な光の拡散をより抑制して原稿に導くことができる。
【０１１６】
また、本実施形態によれば、導光体５０５Ａが第１入光部４００ａと第２入光部４００ｂとを有するので、簡易な構造で入光量を高精度に調整することができる。
【０１１７】
また、本実施形態によれば、ＬＥＤユニット５０３Ａが主走査方向Ｙに直線状に配置される複数の第１ＬＥＤ５０１ａ、及び主走査方向Ｙに直線状に配置される複数の第２ＬＥＤ５０１ｂを備えるので、第１導光体５０５Ａ１に入光させる光の光量と、第２導光体５０５Ａ２に入光させる光の光量とを調整することができる。
【０１１８】
以上、好適な実施形態として第１実施形態及び第２実施形態について説明したが、本発明は上述した実施形態に限定されることなく種々の形態で実施することができる。例えば、本実施形態において、画像形成装置としてカラーコピー機１につい説明しているが、これに限定されず、モノクロコピー機、プリンタ、ファクシミリ及びこれらの複合機等であってもよい。
【０１１９】
また、第１実施形態及び第２実施形態において、画像読取装置３００は、装置本体Ｍと一体的に形成されているが、これに限定されず、装置本体Ｍと別個の筐体により構成されていてもよい。例えば、画像読取装置３００は、装置本体Ｍに対して着脱可能に構成されてもよい。
【０１２０】
また、第１実施形態及び第２実施形態において、画像読取装置３００は、画像形成装置としてのカラーコピー機１の一部を構成しているが、これに限定されず、例えば、イメージスキャナ等の単体として用いられる装置であってもよい。
【０１２１】
また、第１実施形態及び第２実施形態において、発光部としてＬＥＤ５０１について説明しているが、これに限定されない。例えば、発光部として、有機ＥＬ（Ｏｒｇａｎｉｃ  Ｅｌｅｃｔｒｏ−Ｌｕｍｉｎｅｓｃｅｎｃｅ）、光ファイバーを利用したものや各種ランプを用いることができる。
【図面の簡単な説明】
【０１２２】
【図１】カラーコピー機１における各構成要素の配置を説明するための左側面図である。
【図２】読取部３０１の内部構造を示す概略平面図である。
【図３】図２を矢印Ｓ方向から見た図である。なお、図３は、図２において示される部材を説明のために適宜省いた模式的な図である。
【図４】照明部３４７ａの構成を説明する断面図である。
【図５】図４における導光体５０５を説明する部分拡大図である。
【図６】ＬＥＤユニット５０３を説明する斜視図である。
【図７】導光体５０５Ａを説明する図である。
【図８】ＬＥＤユニット５０３Ａを説明する斜視図である。
【図９】ＬＥＤユニット５０３Ａの発光を制御する発光制御部４５０を含むブロック図である。
【符号の説明】
【０１２３】
１……カラーコピー機（画像形成装置）、２ａ、２ｂ、２ｃ、２ｄ……感光体ドラム（像担持体）、１６……現像器、３００……画像読取装置、３４７ａ……照明部（照明手段）、３４７ｂ……第１ミラー（ミラー）、３４９ａ……第２ミラー（ミラー）、３４９ｂ……第３ミラー（ミラー）、３５７……結像レンズ、３５８……ＣＣＤ（読取手段）、４００……入光部、４１０ａ……第１出光面、４１０ｂ……第２出光面、５０１……ＬＥＤ５０１（発光部）、５０５……導光体、５０７Ａ……拡散板、５０７、５０７Ｂ、５０７Ｃ、５０７Ｄ、５０７Ｅ……楕円拡散板、５１０……取り付け部材、５２０……取り付け部材、５２１……第１載置部（載置部）、５２２……開口部、５３０……取り付け部材、Ｇ……原稿、Ｈ……光路、Ｎ……転写ニップ（転写部）、Ｘ……副走査方向、Ｙ……主走査方向、反射ミラー５４１（反射部）
【図１】
2010026179.tif 000003
【図２】
2010026179.tif 000004
【図３】
2010026179.tif 000005
【図４】
2010026179.tif 000006
【図５】
2010026179.tif 000007
【図６】
2010026179.tif 000008
【図７】
2010026179.tif 000009
【図８】
2010026179.tif 000010
【図９】
2010026179.tif 000011